(57)【要約】【課題】解決しようとする課題は、フォーミングの後にトリミングを行うためにはフォーミング型とトリミング型の二型を要し、工程も別になるのでコストが高くなることは避けられず、かといってフォーミングとトリミングを同時に行うための金型は構造的に非常に複雑になるため、金型のメンテナンスが煩雑でやはりコストアップになりかねないという点である。【解決手段】グラスウール成形金型においてフォーミング型面を彫設された上型と、該上型に固定されたフォーミング型ガイドポストと、トリミング型面を彫設された下型と、該下型に固定されたトリミング型ガイドポストと、該フォーミング型ガイドポストと該トリミング型ガイドポストとの双方に対し摺動自在に取り付けられ、且つ上面にフォーミング型面と、下面にトリミング型面とを彫設され、該フォーミング型ガイドポストからの抜け落ち防止構造を有する中間型とを具備することにより前記課題を解決した。【選択図】図１
2010046860.tif 000002
【特許請求の範囲】
【請求項１】
フォーミング型面を彫設された上型と、該上型に固定されたフォーミング型ガイドポストと、トリミング型面を彫設された下型と、該下型に固定されたトリミング型ガイドポストと、該フォーミング型ガイドポストと該トリミング型ガイドポストとの双方に対し摺動自在に取り付けられ、且つ上面にフォーミング型面と、下面にトリミング型面とを彫設され、該フォーミング型ガイドポストからの抜け落ち防止構造を有する中間型とを具備することを特徴とするグラスウール成形金型
【請求項２】
請求項１記載のグラスウール成形金型が上下逆転していることを特徴とするグラスウール成形金型
【発明の詳細な説明】
【技術分野】
【０００１】
本発明は、自動車のエンジンルーム内でインシュレータとして使われるグラスウールの成形金型に関する。
【背景技術】
【０００２】
従来、グラスウール製のインシュレータとしては特許文献１に示されるようなものがあり、事前にフェノール樹脂をスプレーした該グラスウールを圧縮、フォーミングすると同時に該フェノール樹脂を加熱して熱硬化させ、その後トリミング型により不要部分をカットして該インシュレータを製作している。
【特許文献１】特開平５−５０５４５号公報
【０００３】
また、フォーミングとトリミングを同時に行う技術として特許文献２に示されるようなものがある。
【特許文献２】特公平１−１５６１９号公報
【０００４】
しかし、特許文献１に示されるようなフォーミングの後にトリミングを行うのは
フォーミング型とトリミング型の二型を要し、工程も別になるのでコストが高くなることは避けられず、かといって特許文献２に示されるようなフォーミングとトリミングを同時に行うための金型は構造が非常に複雑になるため、金型のメンテナンスが煩雑でやはりコストアップになりかねないという問題があった。
【発明の開示】
【発明が解決しようとする課題】
【０００５】
解決しようとする課題は、フォーミングの後にトリミングを行うためにはフォーミング型とトリミング型の二型を要し、工程も別になるのでコストが高くなることは避けられず、かといってフォーミングとトリミングを同時に行うための金型は構造が非常に複雑になるため、金型のメンテナンスが煩雑でやはりコストアップになりかねないという点である。本発明は上記の点を解決するためになされた。
【課題を解決するための手段】
【０００６】
上記目的を果たすため本発明は、グラスウール成形金型であってフォーミング型面を彫設された上型と、該上型に固定されたフォーミング型ガイドポストと、トリミング型面を彫設された下型と、該下型に固定されたトリミング型ガイドポストと、該フォーミング型ガイドポストと該トリミング型ガイドポストとの双方に対し摺動自在に取り付けられ、且つ上面にフォーミング型面と、下面にトリミング型面とを彫設され、該フォーミング型ガイドポストからの抜け落ち防止構造を有する中間型とを具備することを最も主要な特徴とする。
【０００７】
また、上記グラスウール成形金型が上下逆転していることを第２の主要な特徴とする
【発明の効果】
【０００８】
本発明によれば、フォーミング工程とトリミング工程とを一つの金型で行うことができるので、従来のようにフォーミングの後にトリミングを行うためのフォーミング型とトリミング型の二型を要し、工程も別になってコストが高くなることはないという利点がある。
【０００９】
また、フォーミング型面とトリミング型面がそれぞれ独立しているので、従来のようにフォーミングとトリミングを同時に行うための金型が構造的に非常に複雑になって、煩雑な金型のメンテナンスによってコストアップになることもないという利点もある。
【発明を実施するための最良の形態】
【００１０】
フォーミングの後にトリミングを行うためのフォーミング型とトリミング型の二型を要することなく、フォーミングとトリミングを同時に行うための金型が構造的に非常に複雑になって、煩雑な金型のメンテナンスによってコストアップになることを防ぐという目的を、グラスウール成形金型においてフォーミング型面を彫設された上型と、該上型に固定されたフォーミング型ガイドポストと、トリミング型面を彫設された下型と、該下型に固定されたトリミング型ガイドポストと、該フォーミング型ガイドポストと該トリミング型ガイドポストとの双方に対し摺動自在に取り付けられ、且つ上面にフォーミング型面と、下面にトリミング型面とを彫設され、該フォーミング型ガイドポストからの抜け落ち防止構造を有する中間型とを具備することによって実現した。
【実施例１】
【００１１】
本発明の構成を発明の実施の形態に基づいて説明すると次の通りである。
【００１２】
図１は、本発明の１実施例を示す成形金型５の型開き状態の斜視図である。フォーミング型面１１を彫設された上型１０と、該上型１０に固定されたフォーミング型ガイドポスト１５と、トリミング型面２２を彫設された下型２０と、該下型２０に固定されたトリミング型ガイドポスト２５と、該フォーミング型ガイドポスト１５と該トリミング型ガイドポスト２５との双方に対し摺動自在に取り付けられ、且つ上面にフォーミング型面１２と、下面にトリミング型面２１とが彫設され、該フォーミング型ガイドポスト１５からの抜け落ち防止構造（図示せず）を有する中間型３０を具備している。
【００１３】
該抜け落ち防止構造の具体例としては、該フォーミング型ガイドポスト１５の下端に太い段付き部（図示せず）を設けて該太い段付き部に該中間型３０が引っ掛かって釣り下がるように構成すればよい。かかる構成は抜け落ち防止構造としては非常に単純であり、広く公知である。
【００１４】
次に本発明の作用を説明する。図１において、先ず該成形金型５を型開きした状態で、事前に未硬化のフェノール樹脂を含浸させたブランクグラスウール１を該フォーミング型面１１と１２の間にセットし、型締めする。
【００１５】
該上型１０内には加熱装置（図示せず）が埋設されており、型締めされた該ブランクグラスウール１はフォーミングされると同時に含浸されたフェノール樹脂が熱硬化する。
【００１６】
次に、該成形金型５を型開きして該ブランクグラスウール１が加工されたフォーミング後グラスウール２を取り出し、そのまま該トリミング型面２１と２２の間にセットする。
【００１７】
また、同時に別の新たなブランクグラスウール１を該フォーミング型面１１と１２の間にセットし、再び型締めする。
【００１８】
すると、該フォーミング型面１１と１２の間では別の新たな該ブランクグラスウール１がフォーミング、及び熱硬化され、同時に該トリミング型面２１と２２の間では該フォーミング後グラスウール２が不要部分をトリミングされる。
【００１９】
次に、該成形金型５を再び型開きして、該フォーミング後グラスウール２が加工されたトリミング後グラスウール３を取り出す。
【００２０】
同時に、別のブランクグラスウール１が加工された別のフォーミング後グラスウール２を取り出し、そのまま該トリミング型面２１と２２の間にセットする。
【００２１】
同時に、別の新たなブランクグラスウール１を該フォーミング型面１１と１２の間にセットし、再び型締めする。
【００２２】
即ち、段落００１９から段落００２１までの工程を何度も繰り返すことにより必要数の該トリミング後グラスウール３を得ることができる。
【００２３】
以上実施例に述べたように本発明によれば、フォーミング工程とトリミング工程とを一つの金型で行うことができるので、特許文献１に示されるようにフォーミングの後にトリミングを行うためにフォーミング型とトリミング型の二型を要し、工程も別になってコストが高くなるようなことはないという利点がある。
【００２４】
また、フォーミング型面とトリミング型面がそれぞれ独立しているので、特許文献２に示されるようにフォーミングとトリミングを同時に行うための金型が構造的に非常に複雑になって、煩雑な金型のメンテナンスによってコストアップになることもないという利点もある。
【００２５】
尚、上記実施例ではフォーミング型面を成形金型の上型に、トリミング型面を成形金型の下型に配置したが、上下逆転させてトリミング型面を成形金型の上型に、フォーミング型面を成形金型の下型にしてももちろん構わない。
【産業上の利用可能性】
【００２６】
本発明は、自動車のエンジンルーム内でインシュレータとして使われるグラスウールの成形金型に利用可能である。
【図面の簡単な説明】
【００２７】
【図１】本発明に係る成形金型の型開き状態の斜視図
【符号の説明】
【００２８】
１    ブランクグラスウール
２    フォーミング後グラスウール
３    トリミング後グラスウール
５    成形金型
１０    上型
１１，１２    フォーミング型面
１５    フォーミング型ガイドポスト
２０    下型
２１，２２    トリミング型面
２５    トリミング型ガイドポスト
３０    中間型
【図１】
2010046860.tif 000003